(57)【要約】      （修正有）【課題】インターネット経由のサービスを提供する場合における、不正な利用を排除できる技術を提供する。【解決手段】光ディスクプレーヤは、ディスクＩＤを取得するディスク情報取得部１１１と、ディスクＩＤ及び機器ＩＤを出力する認証リクエスト部１１４と、認証結果を取得する認証結果取得部１１５と、認証結果が機器ＩＤが認証されなかったことを示す場合に条件付きサービスの提供を制限するサービス提供部１１７と、機器ＩＤを更新する機器ＩＤ管理部１１９と、を備える。【選択図】図３
2016105249.tif 000002
【特許請求の範囲】
【請求項１】
対象の光ディスクから、当該対象の光ディスクを他の光ディスクから識別する情報である光ディスク識別情報を取得する光ディスク識別情報取得部と、
上記光ディスク識別情報、及び、自装置を他の機器から識別する情報である機器識別情報を認証用サーバに出力する情報出力部と、
上記認証用サーバから認証結果を取得する認証結果取得部と、
上記認証結果が上記機器識別情報が認証されなかったことを示す場合に、認証を条件とする条件付きサービスの提供を制限するサービス制限部と、
上記認証結果が上記機器識別情報が認証されなかったことを示す場合に、上記機器識別情報を更新する機器識別情報更新部と、を備えている、
ことを特徴とする再生装置。
【請求項２】
上記機器識別情報更新部は、
上記機器識別情報を管理する機器管理サーバに対して、自装置が正規の再生装置であることを証明する証明情報を送信し、
上記機器識別情報に、上記機器管理サーバから取得した新たな機器識別情報を上書きすることにより、上記機器識別情報を更新する、
ことを特徴とする請求項１に記載の再生装置。
【請求項３】
対象の光ディスクから、当該対象の光ディスクを他の光ディスクから識別する情報である光ディスク識別情報を取得する光ディスク識別情報取得部と、
上記光ディスク識別情報を認証用サーバに出力する情報出力部と、
上記認証用サーバから認証結果を取得する認証結果取得部と、
上記認証結果が上記光ディスク識別情報が認証されなかったことを示す場合に、認証を条件とする条件付きサービスの提供を制限するサービス制限部と、
上記条件付きサービスを提供するための認証用情報の認証を条件として、上記サービス制限部による上記条件付きサービスの提供の制限を一時的に解除する制限解除部と、を備えている、
ことを特徴とする再生装置。
【請求項４】
上記認証用情報を取得する認証用情報取得部を更に備え、
上記制限解除部は、
上記認証用サーバに対して、上記認証用情報を送信し、
上記認証用サーバから取得した上記条件付きサービスの提供の制限を一時的に解除する旨の指示に従って上記条件付きサービスの提供の制限を一時的に解除する、
ことを特徴とする請求項３に記載の再生装置。
【請求項５】
上記認証結果が上記光ディスク識別情報が認証されなかったことを示す場合に、上記対象の光ディスクに格納されているコンテンツと同一のコンテンツが格納されている他の光ディスクを入手する入手法を通知する通知部を更に備えている、
ことを特徴とする請求項３又は４に記載の再生装置。
【請求項６】
認証を条件として提供される条件付きサービスを提供する再生装置を他の機器から識別する情報である機器識別情報、及び、上記再生装置が正規の再生装置であることを示す証明情報を取得する機器情報取得部と、
上記機器情報取得部が証明情報を取得した場合に、上記再生装置が正規の再生装置であると判定する判定部と、
上記判定部により上記再生装置が正規の再生装置であると判定された場合に、上記機器識別情報を更新するための新たな機器識別情報を発行する発行部と、を備えている、
ことを特徴とする機器管理サーバ。
【請求項７】
対象の光ディスクを他の光ディスクから識別する情報である光ディスク識別情報を取得する情報取得部と、
上記情報取得部が取得した光ディスク識別情報を認証する認証部と、
上記認証部の認証結果を出力する認証結果出力部と、を備えた認証用サーバであって、
上記情報取得部は、認証を条件とする条件付きサービスを提供するための認証用情報を取得し、
上記認証部は、上記光ディスク識別情報および上記認証用情報が予め関連付けられているか否かを認証し、
上記認証結果出力部は、上記光ディスク識別情報および上記認証用情報が予め関連付けられている場合に、上記条件付きサービスの提供の制限を一時的に解除する旨を通知する、
ことを特徴とする認証用サーバ。
【請求項８】
再生装置のサービス提供方法であって、
対象の光ディスクから、当該対象の光ディスクを他の光ディスクから識別する情報である光ディスク識別情報を取得する光ディスク識別情報取得ステップと、
上記光ディスク識別情報、及び、自装置を他の機器から識別する情報である機器識別情報を認証用サーバに出力する情報出力ステップと、
上記認証用サーバから認証結果を取得する認証結果取得ステップと、
上記認証結果が上記機器識別情報が認証されなかったことを示す場合に、認証を条件とする条件付きサービスの提供を制限するサービス制限ステップと、
上記認証結果が上記機器識別情報が認証されなかったことを示す場合に、上記機器識別情報を更新する機器識別情報更新ステップと、を含んでいる、
ことを特徴とするサービス提供方法。
【請求項９】
再生装置のサービス提供方法であって、
対象の光ディスクから、当該対象の光ディスクを他の光ディスクから識別する情報である光ディスク識別情報を取得する光ディスク識別情報取得ステップと、
上記光ディスク識別情報を認証用サーバに出力する情報出力ステップと、
上記認証用サーバから認証結果を取得する認証結果取得ステップと、
上記認証結果が上記光ディスク識別情報が認証されなかったことを示す場合に、認証を条件とする条件付きサービスの提供を制限するサービス制限ステップと、
上記条件付きサービスを提供するための認証用情報の認証を条件として、上記サービス制限ステップにおける上記条件付きサービスの提供の制限を一時的に解除する制限解除ステップと、を含んでいる、
ことを特徴とするサービス提供方法。
【請求項１０】
機器管理サーバの機器管理方法であって、
認証を条件として提供される条件付きサービスを提供する再生装置を他の機器から識別する情報である機器識別情報、及び、上記再生装置が正規の再生装置であることを示す証明情報を取得する機器情報取得ステップと、
上記機器情報取得ステップにおいて証明情報を取得した場合に、上記再生装置が正規の再生装置であると判定する判定ステップと、
上記判定ステップにおいて上記再生装置が正規の再生装置であると判定された場合に、上記機器識別情報を更新するための新たな機器識別情報を発行する発行ステップと、を含んでいる、
ことを特徴とする機器管理方法。
【請求項１１】
対象の光ディスクを他の光ディスクから識別する情報である光ディスク識別情報を取得する情報取得ステップと、
上記情報取得ステップにおいて取得した光ディスク識別情報を認証する認証ステップと、
上記認証ステップにおける認証結果を出力する認証結果出力ステップと、を含む、認証用サーバの認証方法であって、
上記情報取得ステップにおいて、認証を条件とする条件付きサービスを提供するための認証用情報を取得し、
上記認証ステップにおいて、上記光ディスク識別情報および上記認証用情報が予め関連付けられているか否かを認証し、
上記認証結果出力ステップにおいて、上記光ディスク識別情報および上記認証用情報が予め関連付けられている場合に、上記条件付きサービスの提供の制限を一時的に解除する旨を通知する、
ことを特徴とする認証方法。
【請求項１２】
再生装置と機器管理サーバとを含む再生システムであって、
上記再生装置は、
対象の光ディスクから、当該対象の光ディスクを他の光ディスクから識別する情報である光ディスク識別情報を取得する光ディスク識別情報取得部と、
上記光ディスク識別情報、及び、自装置を他の機器から識別する情報である機器識別情報を認証用サーバに出力する情報出力部と、
上記認証用サーバから認証結果を取得する認証結果取得部と、
上記認証結果が上記機器識別情報が認証されなかったことを示す場合に、認証を条件とする条件付きサービスの提供を制限するサービス制限部と、
上記認証結果が上記機器識別情報が認証されなかったことを示す場合に、上記機器識別情報を更新する機器識別情報更新部と、を備えており、
上記機器管理サーバは、
認証を条件として提供される条件付きサービスを提供する再生装置を他の機器から識別する情報である機器識別情報、及び、上記再生装置が正規の再生装置であることを示す証明情報を取得する機器情報取得部と、
上記機器情報取得部が証明情報を取得した場合に、上記再生装置が正規の再生装置であると判定する判定部と、
上記判定部により上記再生装置が正規の再生装置であると判定された場合に、上記機器識別情報を更新するための新たな機器識別情報を発行する発行部と、を備えている、
ことを特徴とする再生システム。
【請求項１３】
再生装置と認証用サーバとを含む再生システムであって、
上記再生装置は、
対象の光ディスクから、当該対象の光ディスクを他の光ディスクから識別する情報である光ディスク識別情報を取得する光ディスク識別情報取得部と、
上記光ディスク識別情報を認証用サーバに出力する情報出力部と、
上記認証用サーバから認証結果を取得する認証結果取得部と、
上記認証結果が上記光ディスク識別情報が認証されなかったことを示す場合に、認証を条件とする条件付きサービスの提供を制限するサービス制限部と、
上記条件付きサービスを提供するための認証用情報の認証を条件として、上記サービス制限部による上記条件付きサービスの提供の制限を一時的に解除する制限解除部と、を備えており、
上記認証用サーバは、
対象の光ディスクを他の光ディスクから識別する情報である光ディスク識別情報を取得する情報取得部と、
上記情報取得部が取得した光ディスク識別情報を認証する認証部と、
上記認証部の認証結果を出力する認証結果出力部と、を備え、
上記情報取得部は、認証を条件とする条件付きサービスを提供するための認証用情報を取得し、
上記認証部は、上記光ディスク識別情報および上記認証用情報が予め関連付けられているか否かを認証し、
上記認証結果出力部は、上記光ディスク識別情報および上記認証用情報が予め関連付けられている場合に、上記条件付きサービスの提供の制限を一時的に解除する旨を通知する、
ことを特徴とする再生システム。
【請求項１４】
請求項１から５の何れか１項に記載の再生装置としてコンピュータを機能させるためのプログラムであって、コンピュータを上記各部として機能させるためのプログラム。
【請求項１５】
請求項６に記載の機器管理サーバとしてコンピュータを機能させるためのプログラムであって、コンピュータを上記各部として機能させるためのプログラム。
【請求項１６】
請求項７に記載の認証用サーバとしてコンピュータを機能させるためのプログラムであって、コンピュータを上記各部として機能させるためのプログラム。
【発明の詳細な説明】
【技術分野】
【０００１】
本発明は、光ディスクを再生する再生装置、機器管理サーバ、認証用サーバ、再生装置のサービス提供方法、機器管理サーバの機器管理方法、認証用サーバの認証方法、及び、再生装置と機器管理サーバ又は認証用サーバとを含む再生システムに関する。また、再生装置、機器管理サーバ、及び認証用サーバのプログラムに関する。
【背景技術】
【０００２】
映画などの映像データ、音楽などの音声データなどに代表されるコンテンツは、ＣＤ（Compact Disc）、ＤＶＤ（Digital Versatile Disc）、ＢＤ（Blu-ray（登録商標） Disc）といった光ディスク記録媒体（以下、光ディスク）に格納された状態で販売されたり、インターネット経由でデータを提供することにより販売されたりしている。
【０００３】
光ディスクに格納されているコンテンツを視聴する場合、従来では、インターネットに接続されていない光ディスクプレーヤを用いて光ディスクに格納されたコンテンツを視聴する態様が一般的であった。しかし、様々な電子機器がインターネットに接続されるようになった現在、インターネットに接続された光ディスクプレーヤ又はＰＣ（Personal Computer）を用いて光ディスクに格納されたコンテンツを視聴する態様が普及している。
【０００４】
このように、インターネット接続された光ディスクプレーヤ又はＰＣを用いて光ディスクに格納されたコンテンツを視聴する態様の普及に伴い、光ディスクに格納されたコンテンツに関連するサービスを、サーバから、インターネット経由で光ディスクプレーヤ又はＰＣに提供する態様も普及している。このようにサービスを提供する場合においては、不正なサービスの利用を排除可能な技術が求められる。
【０００５】
特許文献１には、コンテンツを格納した情報記録媒体であって情報記録媒体ＩＤと不正であると判定された情報記録媒体ＩＤのリストである情報記録媒体ＩＤリボケーションリストとを格納した情報記録媒体から情報記録媒体ＩＤと情報記録媒体ＩＤリボケーションリストとを読み出し、読み出した情報記録媒体ＩＤが情報記録媒体ＩＤリボケーションリストに記述された情報記録媒体ＩＤと一致しないことを条件として、コンテンツの再生を実行する技術が開示されている。
【先行技術文献】
【特許文献】
【０００６】
【特許文献１】特開２００４−２９５３７３号公報（２００４年１０月２１日公開）
【発明の概要】
【発明が解決しようとする課題】
【０００７】
特許文献１に記載の技術では、情報記録媒体ＩＤ（光ディスクＩＤ）が不正であると判定された光ディスクＩＤのリストに登録されている場合にコンテンツの再生を制限する。
【０００８】
しかし、このような技術では、正規な光ディスクを示す光ディスクＩＤと不正な光ディスクの光ディスクＩＤとが同一である場合（例えば、いわゆるなりすましや不正なコピーなどによって、不正な光ディスクに正規な光ディスクのディスクＩＤと同一のディスクＩＤが割り当てられてしまった場合など）には、正規な光ディスクを有するユーザに対してもサービスの提供が制限されてしまうため、サービスの提供の制限の観点から改善の余地があった。
【０００９】
本発明は、上記の問題に鑑みてなされたものであり、その主たる目的は、サービスを適切に提供することのできる技術を提供することにある。
【課題を解決するための手段】
【００１０】
上記の課題を解決するため、本発明の一態様に係る再生装置は、対象の光ディスクから、当該対象の光ディスクを他の光ディスクから識別する情報である光ディスク識別情報を取得する光ディスク識別情報取得部と、上記光ディスク識別情報、及び、自装置を他の機器から識別する情報である機器識別情報を認証用サーバに出力する情報出力部と、上記認証用サーバから認証結果を取得する認証結果取得部と、上記認証結果が上記機器識別情報が認証されなかったことを示す場合に、認証を条件とする条件付きサービスの提供を制限するサービス制限部と、上記認証結果が上記機器識別情報が認証されなかったことを示す場合に、上記機器識別情報を更新する機器識別情報更新部と、を備えている。
【００１１】
上記の課題を解決するため、本発明の一態様に係る再生装置は、対象の光ディスクから、当該対象の光ディスクを他の光ディスクから識別する情報である光ディスク識別情報を取得する光ディスク識別情報取得部と、上記光ディスク識別情報を認証用サーバに出力する情報出力部と、上記認証用サーバから認証結果を取得する認証結果取得部と、上記認証結果が上記光ディスク識別情報が認証されなかったことを示す場合に、認証を条件とする条件付きサービスの提供を制限するサービス制限部と、上記条件付きサービスを提供するための認証用情報の認証を条件として、上記サービス制限部による上記条件付きサービスの提供の制限を一時的に解除する制限解除部と、を備えている。
【００１２】
上記の課題を解決するため、本発明の一態様に係る機器管理サーバは、認証を条件として提供される条件付きサービスを提供する再生装置を他の機器から識別する情報である機器識別情報、及び、上記再生装置が正規の再生装置であることを示す証明情報を取得する機器情報取得部と、上記機器情報取得部が証明情報を取得した場合に、上記再生装置が正規の再生装置であると判定する判定部と、上記判定部により上記再生装置が正規の再生装置であると判定された場合に、上記機器識別情報を更新するための新たな機器識別情報を発行する発行部と、を備えている。
【００１３】
上記の課題を解決するため、本発明の一態様に係る認証用サーバは、対象の光ディスクを他の光ディスクから識別する情報である光ディスク識別情報を取得する情報取得部と、上記情報取得部が取得した光ディスク識別情報を認証する認証部と、上記認証部の認証結果を出力する認証結果出力部と、を備えた認証用サーバであって、上記情報取得部は、認証を条件とする条件付きサービスを提供するための認証用情報を取得し、上記認証部は、上記光ディスク識別情報および上記認証用情報が予め関連付けられているか否かを認証し、上記認証結果出力部は、上記光ディスク識別情報および上記認証用情報が予め関連付けられている場合に、上記条件付きサービスの提供の制限を一時的に解除する旨を通知する。
【００１４】
上記の課題を解決するため、本発明の一態様に係るサービス提供方法は、再生装置のサービス提供方法であって、対象の光ディスクから、当該対象の光ディスクを他の光ディスクから識別する情報である光ディスク識別情報を取得する光ディスク識別情報取得ステップと、上記光ディスク識別情報、及び、自装置を他の機器から識別する情報である機器識別情報を認証用サーバに出力する情報出力ステップと、上記認証用サーバから認証結果を取得する認証結果取得ステップと、上記認証結果が上記機器識別情報が認証されなかったことを示す場合に、認証を条件とする条件付きサービスの提供を制限するサービス制限ステップと、上記認証結果が上記機器識別情報が認証されなかったことを示す場合に、上記機器識別情報を更新する機器識別情報更新ステップと、を含んでいる。
【００１５】
上記の課題を解決するため、本発明の一態様に係るサービス提供方法は、再生装置のサービス提供方法であって、対象の光ディスクから、当該対象の光ディスクを他の光ディスクから識別する情報である光ディスク識別情報を取得する光ディスク識別情報取得ステップと、上記光ディスク識別情報を認証用サーバに出力する情報出力ステップと、上記認証用サーバから認証結果を取得する認証結果取得ステップと、上記認証結果が上記光ディスク識別情報が認証されなかったことを示す場合に、認証を条件とする条件付きサービスの提供を制限するサービス制限ステップと、上記条件付きサービスを提供するための認証用情報の認証を条件として、上記サービス制限ステップにおける上記条件付きサービスの提供の制限を一時的に解除する制限解除ステップと、を含んでいる。
【００１６】
上記の課題を解決するため、本発明の一態様に係る機器管理方法は、機器管理サーバの機器管理方法であって、認証を条件として提供される条件付きサービスを提供する再生装置を他の機器から識別する情報である機器識別情報、及び、上記再生装置が正規の再生装置であることを示す証明情報を取得する機器情報取得ステップと、上記機器情報取得ステップにおいて証明情報を取得した場合に、上記再生装置が正規の再生装置であると判定する判定ステップと、上記判定ステップにおいて上記再生装置が正規の再生装置であると判定された場合に、上記機器識別情報を更新するための新たな機器識別情報を発行する発行ステップと、を含んでいる。
【００１７】
上記の課題を解決するため、本発明の一態様に係る認証方法は、対象の光ディスクを他の光ディスクから識別する情報である光ディスク識別情報を取得する情報取得ステップと、上記情報取得ステップにおいて取得した光ディスク識別情報を認証する認証ステップと、上記認証ステップにおける認証結果を出力する認証結果出力ステップと、を含む、認証用サーバの認証方法であって、上記情報取得ステップにおいて、認証を条件とする条件付きサービスを提供するための認証用情報を取得し、上記認証ステップにおいて、上記光ディスク識別情報および上記認証用情報が予め関連付けられているか否かを認証し、上記認証結果出力ステップにおいて、上記光ディスク識別情報および上記認証用情報が予め関連付けられている場合に、上記条件付きサービスの提供の制限を一時的に解除する旨を通知する。
【００１８】
上記の課題を解決するため、本発明の一態様に係る再生システムは、再生装置と機器管理サーバとを含む再生システムであって、上記再生装置は、対象の光ディスクから、当該対象の光ディスクを他の光ディスクから識別する情報である光ディスク識別情報を取得する光ディスク識別情報取得部と、上記光ディスク識別情報、及び、自装置を他の機器から識別する情報である機器識別情報を認証用サーバに出力する情報出力部と、上記認証用サーバから認証結果を取得する認証結果取得部と、上記認証結果が上記機器識別情報が認証されなかったことを示す場合に、認証を条件とする条件付きサービスの提供を制限するサービス制限部と、上記認証結果が上記機器識別情報が認証されなかったことを示す場合に、上記機器識別情報を更新する機器識別情報更新部と、を備えており、上記機器管理サーバは、認証を条件として提供される条件付きサービスを提供する再生装置を他の機器から識別する情報である機器識別情報、及び、上記再生装置が正規の再生装置であることを示す証明情報を取得する機器情報取得部と、上記機器情報取得部が証明情報を取得した場合に、上記再生装置が正規の再生装置であると判定する判定部と、上記判定部により上記再生装置が正規の再生装置であると判定された場合に、上記機器識別情報を更新するための新たな機器識別情報を発行する発行部と、を備えている。
【００１９】
上記の課題を解決するため、本発明の一態様に係る再生システムは、再生装置と認証用サーバとを含む再生システムであって、上記再生装置は、対象の光ディスクから、当該対象の光ディスクを他の光ディスクから識別する情報である光ディスク識別情報を取得する光ディスク識別情報取得部と、上記光ディスク識別情報を認証用サーバに出力する情報出力部と、上記認証用サーバから認証結果を取得する認証結果取得部と、上記認証結果が上記光ディスク識別情報が認証されなかったことを示す場合に、認証を条件とする条件付きサービスの提供を制限するサービス制限部と、上記条件付きサービスを提供するための認証用情報の認証を条件として、上記サービス制限部による上記条件付きサービスの提供の制限を一時的に解除する制限解除部と、を備えており、上記認証用サーバは、対象の光ディスクを他の光ディスクから識別する情報である光ディスク識別情報を取得する情報取得部と、上記情報取得部が取得した光ディスク識別情報を認証する認証部と、上記認証部の認証結果を出力する認証結果出力部と、を備え、上記情報取得部は、認証を条件とする条件付きサービスを提供するための認証用情報を取得し、上記認証部は、上記光ディスク識別情報および上記認証用情報が予め関連付けられているか否かを認証し、上記認証結果出力部は、上記光ディスク識別情報および上記認証用情報が予め関連付けられている場合に、上記条件付きサービスの提供の制限を一時的に解除する旨を通知する。
【発明の効果】
【００２０】
本発明の一態様によれば、サービスを適切に提供することのできる技術を提供することにある。
【図面の簡単な説明】
【００２１】
【図１】本発明の実施形態１に係るサービス提供システムの構成を示す概略図である。
【図２】上記サービス提供システムが含んでいる光ディスクプレーヤのハードウェア構成を示すブロック図である。
【図３】上記光ディスクプレーヤの備えるＣＰＵの主要な構成を示す機能ブロック図である。
【図４】上記サービス提供システムが含んでいる認証用サーバの構成を示すブロック図である。
【図５】上記認証用サーバの備えるＣＰＵの主要な構成を示す機能ブロック図である。
【図６】上記サービス提供システムが含んでいる機器管理サーバの備えるＣＰＵの主要な構成を示す機能ブロック図である。
【図７】上記光ディスクプレーヤ及び認証用サーバにおける認証処理の流れを示すシーケンス図である。
【図８】上記光ディスクプレーヤ及び機器管理サーバにおける機器ＩＤ更新処理の流れを示すシーケンス図である。
【図９】上記光ディスクプレーヤ１０が機器ＩＤ更新処理においてモニタに表示する画面の一例を模式的に示す図である。
【図１０】上記光ディスクプレーヤ及び認証用サーバおける制限一時解除処理の流れを示すシーケンス図である。
【図１１】上記光ディスクプレーヤが制限一時解除処理においてモニタに表示する画面の一例を模式的に示す図である。
【発明を実施するための形態】
【００２２】
〔実施形態１〕
（サービス提供システム１の概略）
以下、本発明の第１の実施形態について、図１から図１１を参照して詳細に説明する。図１は、本実施形態に係るサービス提供システム（再生システム）１の構成を示す概略図である。
【００２３】
図１に示すように、サービス提供システム１は、光ディスクプレーヤ（再生装置）１０、モニタ３０、ルータ４０、認証用サーバ５０、携帯端末６０、及び、機器管理サーバ８０を含んでいる。ルータ４０は、ネットワーク７０に接続されており、例えば家庭内で運用するローカルエリアネットワーク（Ｌｏｃａｌ  Ａｒｅａ  Ｎｅｔｗｏｒｋ：ＬＡＮ）を構築可能にする。
【００２４】
サービス提供システム１では、光ディスクプレーヤ１０は、光ディスク２０（対象の光ディスク）を他の光ディスクから識別する情報であるディスクＩＤ（光ディスク識別情報）を取得し、認証用サーバ５０（いわゆる、キーマネージメントサーバ）に認証を要求する。認証用サーバ５０は、ディスクＩＤの認証の要求を受け付けると、ディスクＩＤの認証を実行し、認証結果を光ディスクプレーヤ１０に出力する。光ディスクプレーヤ１０は、認証用サーバ５０から取得した認証結果がディスクＩＤが認証されたことを示す場合、上記条件付きサービスを提供する。
【００２５】
本実施形態では、認証用サーバ５０は、ディスクＩＤが認証されたことを示す認証結果として、タイトルキーを出力する。なお、以下において、認証用サーバ５０の認証を条件としないサービスを通常サービスと称し、認証用サーバ５０の認証を条件とする条件付きサービスを条件付きサービスと称する。
【００２６】
光ディスクプレーヤ１０は、上記ＬＡＮを構成する端末の１つであり、ルータ４０に接続されている。言い換えれば、光ディスクプレーヤ１０は、ルータ４０を介してネットワーク７０に接続されている。なお、図１において、実線の矢印は、有線接続による機器間の接続を表し、破線の矢印は、無線接続による機器間の接続を表す。図１に示す各機器の接続の態様（有線又は無線）は、接続の態様の一例であり、これに限定されるものではない。
【００２７】
光ディスクプレーヤ１０は、従来の光ディスクプレーヤと同様に、挿入された光ディスク２０に格納されているコンテンツを再生し、再生した映像を表す映像信号を、ＨＤＭＩ（High Definition Multimedia Interface、登録商標）ケーブルを介して接続されたモニタ３０へ提供する。光ディスクプレーヤ１０の詳細な構成については、後述する。
【００２８】
モニタ３０は、光ディスクプレーヤ１０から取得した映像信号に応じたオブジェクトを表示する。ここで、オブジェクトとは、映像（動画像）、静止画像、テキスト、選択項目が割り当てられたボタンなどを指す。本実施形態において、モニタ３０は、放送を受信するチューナー部を備えていないものとして説明するが、チューナー部を備えておりテレビジョン受像機として機能可能なものであってもよい。また、モニタ３０は、ルータ４０に接続されており、上記ＬＡＮを構成する端末の１つであってもよい。
【００２９】
認証用サーバ５０は、ディスクＩＤの認証要求を受け付け、認証した結果を表す認証結果を出力する。認証用サーバ５０は、ディスクＩＤの認証における１つの処理として、取得したディスＩＤ、及び、認証を要求する光ディスクプレーヤ１０を他の機器から識別する情報である機器ＩＤ（機器識別情報）が、不正な機器などをリストにより管理するブラックリスト（ＢＬ）に登録されていないかを判定する。そして、ディスＩＤ又は機器ＩＤがＢＬに登録されている場合には、認証されなかった旨の認証結果を出力する。ここで、ＢＬには、不正な機器の機器ＩＤをリストにより管理する機器ＢＬ、及び、不正な光ディスクのディスクＩＤをリストにより管理するディスクＢＬなどが含まれる。なお、認証の詳細については後述する。
【００３０】
また、認証用サーバ５０は、取得したディスクＩＤに関連付けられている条件付きサービスを管理する。条件付きサービスの管理とは、提供できる条件付きサービスの種類および提供できる回数を管理することである。また、認証用サーバ５０は、自装置の記憶部にコンテンツを格納しており、要求に応じて当該コンテンツを出力する。認証用サーバ５０の詳細な構成については、後述する。
【００３１】
機器管理サーバ８０は、光ディスクプレーヤ１０の機器ＩＤを含む、複数の機器の各々の機器ＩＤを管理するよう構成されている。また、機器管理サーバ８０は、機器ＩＤと、機器ＩＤの示す機器が正規（例えば、製造元が正規に流通させた機器など）であることを示す証明情報とを関連づけて管理する。ここで、証明情報には、例えば、機器の製造元（メーカ名）、機器の機種、及び、機器の型番などを示す情報が含まれる。
【００３２】
更に、機器管理サーバ８０は、正規の機器からの要求に応じて、当該正規の機器の機器ＩＤを新たに発行することができるよう構成されている。機器管理サーバ８０の詳細については、後述する。
【００３３】
なお、本実施形態では機器管理サーバ８０が１つである構成を例に説明するが、本発明はこれに限定されるものではなく、複数で構成されていてもよいし（例えば、メーカ毎、機器の機種毎など）、特に限定されない。また、認証用サーバ５０と機器管理サーバ８０とが一つのサーバで実現されていてもよい。
【００３４】
携帯端末６０は、ネットワーク７０に接続されており、光ディスクプレーヤ１０及び認証用サーバ５０のそれぞれと通信可能なように構成されている。携帯端末６０は、光ディスク２０のディスクＩＤが認証された場合に、上述の条件付きサービスを提供可能なように構成されている。なお、図１において、携帯端末６０は、ネットワーク７０に接続されている。しかし、使用の態様に応じて、携帯端末６０は、ルータ４０のＬＡＮ側に接続される場合もあり得る。
【００３５】
次に、サービス提供システム１に含まれている光ディスクプレーヤ１０、及び、認証用サーバ５０について、参照する図を変えて説明する。
【００３６】
（光ディスクプレーヤ１０の構成）
光ディスクプレーヤ１０の構成について、図２を参照して説明する。図２は、本実施形態に係る光ディスクプレーヤ１０のハードウェア構成を示すブロック図である。
【００３７】
図２の（ａ）に示すように、光ディスクプレーヤ１０は、バスを介して互いに接続されたＣＰＵ（Central Processing Unit）１１、メモリ１２、ＨＤＤ（ハードディスクドライブ）１３、通信Ｉ／Ｆ（インターフェース）１４、ＨＤＭＩ  Ｉ／Ｆ（インターフェース）１５、光ディスクドライブ１６、ＵＳＢ（Universal Serial Bus）  Ｉ／Ｆ１７、及び、リモコン受光部１８を備えている。
【００３８】
ＣＰＵ１１は、光ディスクプレーヤ１０全体を統合制御する制御部である。ＣＰＵ１１は、各種プログラムが格納されたＨＤＤ１３から当該プログラムをメモリ１２上に展開し、当該プログラムに含まれる命令を実行することによって、光ディスクプレーヤ１０全体を統合制御する。
【００３９】
ＨＤＤ１３は補助記憶装置であり、ＣＰＵ１１を制御部として機能させるための各種プログラムが格納されている。ＨＤＤ１３は、光ディスク２０に格納されているコンテンツや認証用サーバ５０から取得するコンテンツなども格納することができる。
【００４０】
また、本実施形態では、ＨＤＤ１３には、光ディスクプレーヤ１０が正規の機器であることを示す証明情報が格納されている。なお、証明情報は、光ディスクプレーヤ１０の製造時にＨＤＤ１３に格納されるものである。
【００４１】
メモリ１２は主記憶装置であり、ＣＰＵ１１によりＨＤＤ１３に格納されていた各プログラムが展開される。メモリ１２は、例えば、ＲＡＭ（Random Access Memory）などであればよい。
【００４２】
通信Ｉ／Ｆ１４は、光ディスクプレーヤ１０が外部の装置と通信するためのインターフェースである。通信Ｉ／Ｆ１４は、例えば、無線通信によりルータ４０と通信を行うことにより、ルータ４０に接続されているネットワーク上の機器（認証用サーバ５０など）と通信を行う。
【００４３】
ＨＤＭＩ  Ｉ／Ｆ１５は、非圧縮デジタル形式の映像データや音声データを伝送するとともに、ＣＥＣ（Consumer Electronics Control）コマンドを送受信することが可能なインターフェースである。また、ＵＳＢ  Ｉ／Ｆ１７は、ＵＳＢ規格に適合したデジタル信号を所定のプログラムに基づいて送受信可能なインターフェースである。
【００４４】
光ディスクドライブ１６は、光ディスク２０の装填（挿入）を検知する。また、光ディスクドライブ１６は、挿入された光ディスク２０に書き込まれている（格納されている）データを読み出す。
【００４５】
リモコン受光部１８は、図２（ｂ）に示すリモートコントローラ（リモコン）１９から送信されるリモコン信号を受信する。
【００４６】
リモコン１９は、図２の（ｂ）に示すように、テンキー１９ａおよびカーソルキー１９ｂを備えている。リモコン１９は、テンキー１９ａおよびカーソルキー１９ｂを介してユーザから光ディスクプレーヤ１０に対する操作を受け付ける。そして、リモコン１９は、受け付けた操作を示すリモコン信号を送信する。
【００４７】
（ＣＰＵ１１の構成）
ＣＰＵ１１によって実現される主要な機能について、図３を参照して説明する。図３は、本実施形態に係る光ディスクプレーヤ１０の備えるＣＰＵ１１の主要な構成を示す機能ブロック図である。
【００４８】
図３に示すように、ＣＰＵ１１は、ディスク情報取得部（光ディスク識別情報取得部）１１１、ディスクＩＤ管理部１１２、認証用情報管理部（認証用情報取得部）１１３、認証リクエスト部（情報出力部）１１４、認証結果取得部１１５、操作信号取得部１１６、サービス提供部（サービス制限部、制限解除部）１１７、表示制御部（通知部）１１８、及び、機器ＩＤ管理部（機器識別情報更新部）１１９を備えている。
【００４９】
ディスク情報取得部１１１は、光ディスク２０に格納されているディスク情報（例えば、コンテンツ、ディスクＩＤなど）を、光ディスクドライブ１６を介して取得する。ディスクＩＤ管理部１１２は、取得したディスクＩＤを管理する。より具体的には、ディスクＩＤ管理部１１２は、取得したディスクＩＤが記憶部（不図示であるが、ＨＤＤ１３であってもよい）に格納されているか否かを判定し、格納されていない場合は、取得したディスクＩＤを記憶部に格納する。
【００５０】
認証用情報管理部１１３は、取得したディスクＩＤに関連付けられるタイトルキーを管理する。より具体的には、認証用情報管理部１１３は、取得したディスクＩＤに関連付けられたタイトルキーが記憶部（不図示であるが、ＨＤＤ１３であってもよい）に格納済であるか否かを判定する。また、認証用情報管理部１１３は、タイトルキーを取得した場合、ディスクＩＤと関連付けて、取得したタイトルキーを記憶部に格納する。
【００５１】
認証リクエスト部１１４は、通信Ｉ／Ｆ１４を介して、認証用サーバ５０に対してディスクＩＤの認証を要求する。なお、認証リクエスト部１１４は、認証用サーバ５０に対してディスクＩＤの認証を要求する構成に限定されず、例えば、認証用サーバ５０に対してディスクＩＤを出力する構成であってもよい。
【００５２】
認証結果取得部１１５は、通信Ｉ／Ｆ１４を介して、認証用サーバ５０からディスクＩＤの認証結果を取得する。
【００５３】
サービス提供部１１７は、認証結果を取得し、認証結果がディスクＩＤが認証されたことを示す場合（タイトルキーを取得した場合）、通常サービスおよび条件付きサービスを提供する。一方、サービス提供部１１７は、認証結果がディスクＩＤコードが認証されないことを示す場合（タイトルキーが取得できない場合）、条件付きサービスの提供を制限し、通常サービスを提供する。なお、通常サービスおよび条件付サービスは、サービス提供部１１７が、ＨＤＤ１３から取得して提供してもよいし、光ディスクプレーヤ１０にセットされている光ディスク２０から取得して提供してもよいし、または認証用サーバ５０等、外部のネットワーク経由で取得し、提供してもよい。
【００５４】
操作信号取得部１１６は、リモコン受光部１８を介して、光ディスクプレーヤ１０に対する操作を示す操作信号を取得する。例えば、操作信号取得部１１６は、光ディスク２０のディスクＩＤの認証をサーバに要求する旨のユーザ指示を、リモコン１９からリモコン受光部１８を介して受け付ける。認証リクエスト部１１４は、操作信号取得部１１６により認証を要求する旨のユーザ指示が受け付けられた場合に、ディスクＩＤの要求を行えばよい。
【００５５】
表示制御部１１８は、ＨＤＭＩ  Ｉ／Ｆ１５を介して、モニタ３０を制御する。
【００５６】
機器ＩＤ管理部１１９は、認証用サーバ５０から取得した認証結果が、機器ＩＤが認証されなかった（機器ＩＤが機器ＢＬに登録されている）ことを示す場合に、当該機器ＩＤを更新する。具体的には、機器ＩＤ管理部１１９は、機器管理サーバ８０に対して自装置の証明情報を送信すると共に、機器ＩＤを更新するための新たな機器ＩＤの発行を要求する。そして、機器ＩＤ管理部１１９は、機器ＩＤに、機器管理サーバ８０から取得した新たな機器ＩＤを上書きすることにより、機器ＩＤを更新する。なお、機器ＩＤ管理部１１９は、機器管理サーバ８０に対して証明情報を送信するとともに、機器ＤＩの発行を要求する構成に限定されず、例えば、単に機器管理サーバ８０に対して証明情報を送信する構成であってもよい。
【００５７】
（認証用サーバ５０の構成）
認証用サーバ５０の構成について、図４を参照して説明する。図４は、本実施形態に係る認証用サーバ５０のハードウェア構成を示すブロック図である。図４に示すように、認証用サーバ５０は、バスを介して互いに接続されたＣＰＵ５１、メモリ５２、ＨＤＤ５３、及び通信Ｉ／Ｆ５４を備えている。
【００５８】
ＣＰＵ５１は、認証用サーバ５０全体を統合制御する制御部である。ＣＰＵ５１は、各種プログラムが格納されたＨＤＤ５３から当該プログラムをメモリ５２上に展開し、当該プログラムに含まれる命令を実行することによって、認証用サーバ５０全体を統合制御する。
【００５９】
ＨＤＤ５３は補助記憶装置であり、ＣＰＵ５１を制御部として機能させるための各種プログラムが格納されている。ＨＤＤ５３には、コンテンツやサービスなども格納することができる。また、ＨＤＤ５３には、機器ＢＬ及びディスクＢＬを含むＢＬが格納されている。メモリ５２は主記憶装置であり、例えば、ＲＡＭなどであればよい。
【００６０】
通信Ｉ／Ｆ５４は、認証用サーバ５０が外部の装置と通信するためのインターフェースである。
【００６１】
（ＣＰＵ５１の構成）
ＣＰＵ５１によって実現される主要な機能について、図５を参照して説明する。図５は、本実施形態に係る認証用サーバ５０の備えるＣＰＵ５１の主要な構成を示す機能ブロック図である。
【００６２】
図５に示すように、ＣＰＵ５１は、情報取得部５１１、認証部５１２、サービス管理部５１３、及び、認証結果出力部５１４を備えている。
【００６３】
情報取得部５１１は、通信Ｉ／Ｆ５４を介して、ディスクＩＤの認証要求を受け付ける。また、情報取得部５１１は、ディスクＩＤの認証要求と共に、ディスクＩＤ、及び、認証を要求する光ディスクプレーヤ１０の機器ＩＤを取得する。
【００６４】
認証部５１２は、取得したディスクＩＤを認証する。このとき、認証部５１２は、取得した機器ＩＤが機器ＢＬに登録されているか否かを判定すると共に、取得したディスクＩＤがディスクＢＬに登録されているか否かを判定する。
【００６５】
サービス管理部５１３は、認証用サーバ５０が提供可能なサービスを管理する。認証結果出力部５１４は、認証部５１２が認証した結果を表す認証結果を出力する。
【００６６】
（機器管理サーバ８０のＣＰＵ８１の構成）
機器管理サーバ８０は、機器ＩＤを管理するサーバであり、その主なハードウェア構成は、図４に示す認証用サーバ５０のハードウェア構成（ＣＰＵ５１を除く）と同様である。
【００６７】
機器管理サーバ８０の備えるＣＰＵ８１の構成について、図６を参照して説明する。図６は、本実施形態に係る機器管理サーバ８０の備えるＣＰＵ８１の主要な構成を示す機能ブロック図である。
【００６８】
図６に示すように、ＣＰＵ８１は、機器ＩＤ取得部（機器情報取得部）８１１、判定部８１２、証明情報管理部８１３、及び、機器ＩＤ発行部（発行部）８１４を備えている。
【００６９】
機器ＩＤ取得部８１１は、光ディスクプレーヤ１０（光ディスク２０に関連付けられた条件付きサービスを提供する再生装置）から、光ディスクプレーヤ１０の機器ＩＤとして新たな機器ＩＤを発行する旨の要求を受け付ける。また、機器ＩＤ取得部８１１は、光ディスクプレーヤ１０から、機器ＩＤ、及び、証明情報を取得する。
【００７０】
証明情報管理部８１３は、証明情報を管理する。例えば、証明情報管理部８１３は、証明情報と機器ＩＤとを１対１で関連付けて管理していてもよいし、同一の認証情報に対して、例えば同じメーカの機器の機器ＩＤ又は同じ機種の機器ＩＤなど複数の機器ＩＤを関連付けて（つまり、証明情報と機器ＩＤとを１対複数で）関連付けて管理してもよいし、管理方法は特に限定されるものではない。
【００７１】
判定部８１２は、機器ＩＤ取得部８１１が取得した機器ＩＤの示す光ディスクプレーヤ１０が正規の再生装置であるか否かを判定する。具体的には、機器ＩＤと共に、機器ＩＤ取得部８１１により証明情報が取得された場合に、光ディスクプレーヤ１０が正規の再生装置であると判定する。
【００７２】
機器ＩＤ発行部８１４は、光ディスクプレーヤ１０が正規の再生装置であると判定した場合、光ディスクプレーヤ１０の機器ＩＤを更新するための新たな機器ＩＤを発行する。
【００７３】
（認証処理）
次に、光ディスクプレーヤ１０に光ディスク２０が挿入された際に、当該光ディスクプレーヤ１０及び認証用サーバ５０認証処理（光ディスクプレーヤ１０のサービス提供方法）の流れの概要について、図７を参照して説明する。図７は、本実施形態に係る光ディスクプレーヤ１０及び認証用サーバ５０における認証処理の流れを示すシーケンス図である。
【００７４】
図７に示すように、光ディスク２０が光ディスクプレーヤ１０に挿入されると（ステップＳ１００）、光ディスクプレーヤ１０のディスク情報取得部１１１は、光ディスク２０のディスクＩＤおよび当該光ディスクプレーヤ１０の機器ＩＤを取得する（ステップＳ１０２、光ディスク識別情報取得ステップ）。
【００７５】
ディスクＩＤ及び機器ＩＤを取得すると、認証リクエスト部１１４は、認証用サーバ５０に対して、ディスクＩＤの認証要求と共に、ディスクＩＤ及び機器ＩＤを送信する（ステップＳ１０４、情報出力ステップ）。
【００７６】
認証用サーバ５０の認証部５１２は、情報取得部５１１においてディスクＩＤ及び機器ＩＤを取得すると、まず、機器ＩＤが機器ＢＬに登録されているか否かを判定する（ステップＳ１０６）。
【００７７】
機器ＩＤが機器ＢＬに登録されていると判定した場合（ステップＳ１０６においてＹＥＳ）、認証結果出力部５１４は、機器ＩＤが機器ＢＬに登録されている旨の認証結果を光ディスクプレーヤ１０に送信する。機器ＩＤが機器ＢＬに登録されている旨の認証結果を取得すると（認証結果取得ステップ）、光ディスクプレーヤ１０は、機器管理サーバ８０と共に、機器ＩＤを更新するための機器ＩＤ更新処理を実行する（ステップＳ１０８、機器識別情報更新ステップ）。なお、機器ＩＤ更新処理については後述する。
【００７８】
機器ＩＤが機器ＢＬに登録されていないと判定した場合（ステップＳ１０６においてＮＯ）、認証部５１２は、さらに、ディスクＩＤがディスクＢＬに登録されているか否かを判定する（ステップＳ１１０）。
【００７９】
ディスクＩＤがディスクＢＬに登録されていると判定した場合（ステップＳ１１０においてＹＥＳ）、認証結果出力部５１４は、ディスクＩＤがディスクＢＬに登録されている旨の認証結果を光ディスクプレーヤ１０に送信する。ディスクＩＤがディスクＢＬに登録されている旨の認証結果を取得すると、光ディスクプレーヤ１０は、認証用サーバ５０と共に、ディスクＩＤがディスクＢＬに登録されているために認証されず制限されてしまう条件付きサービスの提供（サービス制限ステップ）について、条件付きサービスの提供の制限を一時的に解除するための制限一時解除処理を実行する（ステップＳ１１２）。なお、制限一時解除処理については後述する。
【００８０】
認証部５１２において、機器ＩＤが機器ＢＬに登録されていないと判定され（ステップＳ１０６においてＮＯ）、更に、ディスクＩＤがディスクＢＬに登録されていないと判定された場合（ステップＳ１１０においてＮＯ）には、認証結果出力部５１４は、認証された旨の認証結果として、タイトルキーを発行する（ステップＳ１１４）。
【００８１】
なお、本実施形態では、光ディスク２０が光ディスクプレーヤ１０に挿入されたときに上述の認証処理が実行される構成を例に説明したが、これに限定されるものではない。例えば、光ディスク２０が挿入されたときに、認証用情報管理部１１３において、光ディスク２０のディスクＩＤに関連付けられたタイトルキーが当該光ディスクプレーヤ１０において管理されているか否かを判定してもよい。この場合には、光ディスクプレーヤ１０は、ディスクＩＤに関連付けられたタイトルキーが管理されていない場合に限り、上述の認証処理を実行すればよい。
【００８２】
（機器ＩＤ更新処理）
次に、機器ＩＤが機器ＢＬに登録されている場合に実行される、機器ＩＤ更新処理について、図８及び図９を参照して説明する。図８は、本実施形態に係る光ディスクプレーヤ１０及び機器管理サーバ８０における機器ＩＤ更新処理（機器管理方法）の流れを示すシーケンス図である。図９は、本実施形態に係る光ディスクプレーヤ１０が機器ＩＤ更新処理においてモニタ３０に表示する画面の一例を模式的に示す図である。
【００８３】
図８に示すように、機器ＩＤが機器ＢＬに登録されている旨の認証結果を取得して機器ＩＤ更新処理が開始されると、光ディスクプレーヤ１０の機器ＩＤ管理部１１９は、表示制御部１１８を制御して機器ＩＤを更新する旨のユーザ指示を受け付けるためのユーザインターフェース（ＵＩ）をモニタ３０に表示する（ステップＳ２００）。
【００８４】
このとき、機器ＩＤ管理部１１９は、例えば図９に示すように、機器ＩＤ（図９ではプレーヤＩＤ）が機器ＢＬに登録されている旨の通知と共に、機器ＩＤを更新する旨のユーザ指示を受け付けるＵＩを表示してもよいし、ＵＩのみを表示してもよい。また、機器ＩＤ管理部１１９は、ＵＩの代わりに、ユーザが機器ＩＤの更新を希望する場合に例えばリモコン１９の決定ボタン（不図示）を押下することを促す通知を表示してもよいし、モニタ３０に表示する画面は特に限定されるものではない。
【００８５】
機器ＩＤ管理部１１９は、リモコン受光部１８を介して機器ＩＤを更新する旨のユーザ指示を受け付けると（ステップＳ２０２）、機器管理サーバ８０に対して機器ＩＤの更新を要求する（ステップＳ２０４）。このとき、機器ＩＤ管理部１１９は、機器管理サーバ８０に対して、機器ＩＤの更新の要求と共に、当該光ディスクプレーヤ１０のディスクＩＤ及び証明情報を送信する。
【００８６】
機器管理サーバ８０の判定部８１２は、機器ＩＤ取得部８１１において機器ＩＤの更新の要求を取得すると（機器情報取得ステップ）、取得したディスクＩＤの示す光ディスクプレーヤ１０が正規の光ディスクプレーヤ１０であるか否かを判定する（ステップＳ２０６、判定ステップ）。具体的には、判定部８１２は、機器ＩＤの更新の要求と共に証明情報を取得しているかを判定し、証明情報を取得している場合に、光ディスクプレーヤ１０が正規の光ディスクプレーヤ１０であると判定する。換言すれば、判定部８１２は、証明情報を受信していない場合には、光ディスクプレーヤ１０が正規の光ディスクプレーヤ１０でないと判定する。
【００８７】
なお、本実施形態では、本発明はこれに限定されるものではなく、判定部８１２は、機器管理サーバ８０の記憶部（不図示）などにおいて管理されている証明情報のリストに挙がっている内容と取得した証明情報の示す内容とが一致する場合に、光ディスクプレーヤ１０が正規の光ディスクプレーヤ１０であると判定してもよい。
【００８８】
光ディスクプレーヤ１０が正規の光ディスクプレーヤ１０であると判定された場合（ステップＳ２０６においてＹＥＳ）、機器ＩＤ発行部８１４は、光ディスクプレーヤ１０の機器ＩＤを更新するための新たな機器ＩＤを発行する（ステップＳ２０８、発行ステップ）。
【００８９】
光ディスクプレーヤ１０の機器ＩＤ管理部１１９は、更新用の新たな機器ＩＤを取得すると（ステップＳ２１０）、当該光ディスクプレーヤ１０の機器ＩＤを、新たな機器ＩＤに更新（上書き）する（ステップＳ２１２）。
【００９０】
以上の処理により、光ディスクプレーヤ１０の機器ＩＤが新たな機器ＩＤに更新される。そして、光ディスクプレーヤ１０は、更新された新たな機器ＩＤを用いて上述の認証処理を実行することにより、認証用サーバ５０における認証を受けることができる。
【００９１】
（制限一時解除処理）
次に、ディスクＩＤがディスクＢＬに登録されている場合に実行される、制限一時解除処理（認証方法）について、図１０及び図１１を参照して説明する。図１０は、本実施形態に係る光ディスクプレーヤ１０及び認証用サーバ５０おける制限一時解除処理の流れを示すシーケンス図である。図１１は、本実施形態に係る光ディスクプレーヤ１０が制限一時解除処理においてモニタ３０に表示する画面の一例を模式的に示す図である。
【００９２】
図１０に示すように、ディスクＩＤがディスクＢＬに登録されている旨の認証結果を取得して制限一時解除処理が開始されると、光ディスクプレーヤ１０の認証用情報管理部１１３は、表示制御部１１８を制御して、光ディスク２０のディスクＩＤに関連づけられた認証用情報であって条件付きサービスを提供するための認証用情報（リデンプションコード）の入力を受け付けるための画面をモニタ３０に表示する（ステップＳ３００）。
【００９３】
このとき、認証用情報管理部１１３は、例えば図１１に示すように、ディスクＩＤがＢＬに登録されている旨の通知と共にリデンプションコードの入力を受け付ける画面へ遷移するためのＵＩを表示してもよいし、ディスクＩＤがＢＬに登録されている旨の通知と共にリデンプションコードの入力を受け付ける画面を表示してもよいし、モニタ３０に表示する画面は特に限定されるものではない。
【００９４】
認証用情報管理部１１３は、リモコン受光部１８を介してリデンプションコードの入力を受け付けると（ステップＳ３０２）、認証用サーバ５０に対して再びディスクＩＤの認証を要求する（ステップＳ３０４）。このとき、認証用情報管理部１１３は、認証用サーバ５０に対して、ディスクＩＤの再認証の要求と共に、ディスクＩＤ及びリデンプションコードを送信する。
【００９５】
認証用サーバ５０の認証部５１２は、情報取得部５１１においてディスクＩＤの再認証の要求を取得すると（情報取得ステップ）、取得したリデンプションコードが正規のリデンプションコードであるか否かを判定する（ステップＳ３０６、認証ステップ）。具体的には、認証部５１２は、サービス管理部５１３において、再認証の要求と共に取得したディスクＩＤとリデンプションコードとがサービス管理部５１３において予め関連づけて管理されているかを判定し、関連づけて管理されている場合に正規のリデンプションコードであると判定する。つまり、認証部５１２は、ディスクＩＤが上述の認証処理においてディスクＢＬに登録されていると判定された場合であっても、ディスクＩＤとリデンプションコードの組み合わせが正しい場合には、正規のリデンプションコードであると判定する。
【００９６】
リデンプションコードが正規のリデンプションコードであると判定された場合（ステップＳ３０６においてＹＥＳ）、認証結果出力部５１４は、光ディスクプレーヤ１０において制限されている条件付きサービスの提供の制限を一時的に解除する旨の指示を送信する（ステップＳ３０８、認証結果出力ステップ）。
【００９７】
光ディスクプレーヤ１０のサービス提供部１１７は、条件付きサービスの提供の制限を一時的に解除する旨の指示を取得すると、制限している条件付きサービスの提供の制限を一時的に解除する（ステップＳ３１０、制限解除ステップ）。
【００９８】
以上の処理により、光ディスク２０のディスクＩＤがディスクＢＬに登録されている場合であっても、ユーザは、一時的に条件付きサービスの提供をうけることができる。なお、条件付きサービスの提供の制限の一時的な解除の方法としては、例えば、（１）条件付きサービスの提供の制限を、１回や２回など所定の回数に限って解除する場合、（２）１時間や１日など所定の機関に限って解除する場合、及び、（３）サービスの内容を限定して一部の条件付きサービスの提供のみの制限を解除する場合などを例に挙げることができるが、特に限定されるものではない。また、一時的に限らず、条件付きサービスの提供の制限を完全に解除する構成を採用することもできる。
【００９９】
また、認証用サーバ５０のＣＰＵ５１は、光ディスクプレーヤ１０に対して、ディスクＩＤの示す光ディスク２０に格納されているコンテンツと同一のコンテンツの入手方法を通知する旨を指示（入手方法通知指示）する（ステップＳ３１２）。
【０１００】
そして、光ディスクプレーヤ１０の表示制御部１１８は、取得した入手方法通知指示に従い、同一のコンテンツの入手方法を通知する画面をモニタ３０に表示する（ステップＳ３１４）。
【０１０１】
ここで、同一のコンテンツの入手方法としては、例えば、同一のコンテンツが格納されている新たな光ディスクの入手方法などをあげることができる。また、新たな光ディスクの入手方法の通知としては、例えば、光ディスク２０と新たな光ディスクとの交換が可能な店の紹介、新たな光ディスクの郵送を行う店のサイトへアクセスするためのＵＲＬの通知などが挙げられる。
【０１０２】
これによれば、ディスクＩＤがディスクＢＬに登録されてしまった光ディスク２０のユーザは、同一のコンテンツの格納された新たな光ディスクを入手することができるため、制限されてしまった条件付きサービスの提供を改めて受けることができる。また、
なお、同一のコンテンツの入手方法として、例えば、同一のコンテンツをストリーミングなどのネットワークを介した配信により入手する方法などをあげることもできる。この場合には、同一のコンテンツを配信により入手する方法の通知として、例えば、ストリーミング配信を行うサーバのＵＲＬなどを通知すればよい。
【０１０３】
〔実施形態２〕
実施形態１では、認証処理において、認証用サーバ５０の認証部５１２により機器ＩＤおよびディスクＩＤが共にＢＬに登録されているか否かが判定される構成を例に説明したが、本発明はこれに限定されるものではない。
【０１０４】
例えば、認証処理において、認証部５１２は、機器ＩＤについてのみ機器ＢＬに登録されているか否かを判定し、認証結果出力部５１４は、機器ＩＤが機器ＢＬに登録されていない場合にディスクＩＤが認証された旨の認証結果を出力してもよい。
【０１０５】
また、認証処理において、認証部５１２は、ディスクＩＤについてのみディスクＢＬに登録されているか否かを判定し、認証結果出力部５１４は、ディスクＩＤがディスクＢＬに登録されていない場合にディスクＩＤが認証された旨の認証結果を出力してもよい。なお、この場合には、光ディスクプレーヤ１０は、ディスクＩＤの認証要求を行う際に（図７のステップＳ１０４）、認証要求と共にディスクＩＤのみを認証用サーバ５０に送信すればよい。
【０１０６】
〔実施形態３〕
実施形態１では、認証用サーバ５０が、光ディスクプレーヤ１０から取得したディスクＩＤを用いて認証を行い、認証された旨を示す認証結果としてタイトルキーを発行する構成を例に説明したが、本発明はこれに限定されるものではない。
【０１０７】
例えば、認証用サーバ５０は、光ディスクプレーヤ１０からディスクＩＤ及びリデンプションコードを取得して、ディスクＩＤ及びリデンプションコードを用いた認証を行い、その認証結果を出力する構成を採用することもできる。
【０１０８】
この場合には、例えば、認証用サーバ５０の認証部５１２によりディスクＩＤがディスクＢＬに登録されていると判定した場合（図７のステップＳ１１０においてＹＥＳ）には、光ディスクプレーヤ１０及び認証用サーバ５０は、上述の制限一時解除処理を行うことなく、更に、ディスクＩＤ及びリデンプションコードの組み合わせが正しいか否かを判定してもよい。そして、組み合わせが正しい場合には、認証結果出力部５１４は、認証されなかった旨を示す認証結果と共に、条件付きサービスの制限を一時的に解除する旨の指示を併せて出力してもよい。
【０１０９】
一方、認証部５１２により機器ＩＤが機器ＢＬに登録されていると判定した場合（図７のステップＳ１０６においてＹＥＳ）には、光ディスクプレーヤ１０及び機器管理サーバ８０は、上述の機器ＩＤ更新処理を実行することが好ましい。
【０１１０】
〔実施形態４〕
上述の実施形態では、再生装置がディスプレイ（モニタ）を備えない光ディスクプレーヤ１０により実現される構成を例に挙げて説明したが、本発明はこれに限定されるものではない。例えば、再生装置は、ディスプレイおよび上述の光ディスクプレーヤ１０の各構成を備えるテレビジョン受像機、又は、ＰＣなどにより実現される構成を採用することもできる。
【０１１１】
〔実施形態５〕
光ディスクプレーヤ１０、認証用サーバ５０、及び機器管理サーバ８０の制御ブロック（特にＣＰＵ１１、ＣＰＵ５１、及びＣＰＵ８１）は、集積回路（ＩＣチップ）等に形成された論理回路（ハードウェア）によって実現してもよいし、ＣＰＵ（Central Processing Unit）を用いてソフトウェアによって実現してもよい。
【０１１２】
後者の場合、光ディスクプレーヤ１０、認証用サーバ５０、及び機器管理サーバ８０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１３】
なお、以上では、再生装置が光ディスク２０に格納されているコンテンツを再生する光ディスクプレーヤ１０である場合を例に挙げて説明したが、本発明に係る再生装置は、リムーバブルメディアに格納されているコンテンツを再生可能な装置であれば、特に限定されない。リムーバブルメディアとしては、例えば、ＣＤ、ＤＶＤ、ＢＤ、メモリーカード、及び、ＵＳＢメモリなどを例に挙げることができる。
【０１１４】
〔まとめ〕
本発明の態様１に係る再生装置（光ディスクプレーヤ１０）は、対象の光ディスク（光ディスク２０）から、当該対象の光ディスクを他の光ディスクから識別する情報である光ディスク識別情報（ディスクＩＤ）を取得する光ディスク識別情報取得部（ディスク情報取得部１１１）と、上記光ディスク識別情報、及び、自装置を他の機器から識別する情報である機器識別情報（機器ＩＤ）を認証用サーバ（認証用サーバ５０）に出力する情報出力部（認証リクエスト部１１４）と、上記認証用サーバから認証結果を取得する認証結果取得部（認証結果取得部１１５）と、上記認証結果が上記機器識別情報が認証されなかったことを示す場合に、認証を条件とする条件付きサービスの提供を制限するサービス制限部（サービス提供部１１７）と、上記認証結果が上記機器識別情報が認証されなかったことを示す場合に、上記機器識別情報を更新する機器識別情報更新部（機器ＩＤ管理部１１９）と、を備えている。
【０１１５】
上記の構成によれば、上記再生装置は、認証用サーバから取得した認証結果が機器識別情報が認証されなかったことを示す場合に、機器識別情報を更新する。したがって、上記再生装置は、認証用サーバに対する認証の要求を更新した機器識別情報を用いて再度行うことにより、更新した新たな機器識別情報により認証を受けることができる。
【０１１６】
これにより、上記再生装置は、例えば、機器識別情報が正規な再生装置を示すものであるにもかかわらず、いわゆるなりすましなどによって不正な再生装置の機器識別情報であると認定されてしまった場合（例えば、機器識別情報がブラックリストに登録されてしまっている場合など）であっても、更新した新たな機器識別情報により再度認証を受けることができる。このため、上記再生装置は、条件付きサービスの提供が制限されてしまった場合であっても、条件付きサービスの提供を再開することができる。
【０１１７】
したがって、上記再生装置は、条件付きサービスを適切に提供することができる。
【０１１８】
本発明の態様２に係る再生装置における上記機器識別情報更新部は、上記態様１において、上記機器識別情報を管理する機器管理サーバ（機器管理サーバ８０）に対して、自装置が正規の再生装置であることを証明する証明情報を送信し、上記機器識別情報に、上記機器管理サーバから取得した新たな機器識別情報を上書きすることにより、上記機器識別情報を更新してもよい。
【０１１９】
上記の構成によれば、上記再生装置は、機器管理サーバに対して証明情報を送信すると共に新たな機器識別情報の発行を要求し、新たな機器識別情報を取得する。換言すれば、再生装置は、証明情報を有していない場合（正規な再生装置でない場合など）には、新たな機器識別情報を取得することができない。
【０１２０】
そして、上記再生装置は、機器識別情報を取得した新たな機器識別情報に更新する。これにより、再生装置は、認証用サーバにおいて認証されなかった機器識別情報とは異なる新たな機器識別情報を自装置の機器識別情報とすることができる。
【０１２１】
したがって、上記再生装置は、証明情報を有している場合に限り、機器管理サーバから取得した新たな機器識別情報を用いて認証用サーバに対して認証を要求することができると共に、制限された条件付きサービスの提供を再開することができる。これにより、上記再生装置は、適切な再生装置である上記再生装置を利用するユーザに対して、条件付きサービスを適切に提供することができる。
【０１２２】
本発明の態様３に係る再生装置（光ディスクプレーヤ１０）は、対象の光ディスク（光ディスク２０）から、当該対象の光ディスクを他の光ディスクから識別する情報である光ディスク識別情報（ディスクＩＤ）を取得する光ディスク識別情報取得部（ディスク情報取得部１１１）と、上記光ディスク識別情報を認証用サーバ（認証用サーバ５０）に出力する情報出力部（認証リクエスト部１１４）と、上記認証用サーバから認証結果を取得する認証結果取得部（認証結果取得部１１５）と、上記認証結果が上記光ディスク識別情報が認証されなかったことを示す場合に、認証を条件とする条件付きサービスの提供を制限するサービス制限部（サービス提供部１１７）と、上記条件付きサービスを提供するための認証用情報の認証を条件として、上記サービス制限部による上記条件付きサービスの提供の制限を一時的に解除する制限解除部（サービス提供部１１７）と、を備えている。
【０１２３】
上記の構成によれば、上記再生装置は、認証用サーバから取得した認証結果が光ディスク識別情報が認証されなかったことを示す場合に、制限されてしまった条件付きサービスの提供を一時的に解除することができる。
【０１２４】
これにより、上記再生装置は、光ディスク識別情報が正規な光ディスクを示すものであるにもかかわらず、例えば不正なコピーなどで同一の光ディスク識別情報を有する光ディスクが出回ってしまったことなどによって、不正な光ディスクの光ディスク識別情報であると認定されてしまった場合（例えば、光ディスク識別情報がブラックリストに登録されてしまっている場合など）であっても、一時的に条件付きサービスを提供することができる。
【０１２５】
したがって、上記再生装置は、条件付きサービスを適切に提供することができる。
【０１２６】
本発明の態様４に係る再生装置は、上記態様３において、上記認証用情報（リデンプションコード）を取得する認証用情報取得部（認証用情報管理部１１３）を更に備え、上記制限解除部は、上記認証用サーバに対して、上記認証用情報を送信し、上記認証用サーバから取得した上記条件付きサービスの提供の制限を一時的に解除する旨の指示に従って上記条件付きサービスの提供の制限を一時的に解除してもよい。
【０１２７】
上記の構成によれば、上記再生装置は、新たに認証用情報を取得し、認証用サーバに対して認証用情報を送信すると共に、条件付きサービスの制限を一時的に解除することを要求する。換言すれば、再生装置は、認証用情報を取得できない場合には、条件付きサービスの提供の制限を一時的に解除することを要求することができない。
【０１２８】
そして、上記再生装置は、証用サーバから条件付きサービスの提供の制限を一時的に解除する旨の指示を取得した場合に、条件付きサービスの提供の制限を一時的に解除することができる。
【０１２９】
したがって、上記再生装置は、認証用情報を取得できた場合に限り、認証用サーバから取得した指示に従い、条件付きサービスの提供の制限を一時的に解除することができる。これにより、上記再生装置は、適切な認証用情報を取得した上記再生装置を利用するユーザに対して、条件付きサービスを適切に提供することができる。
【０１３０】
本発明の態様５に係る再生装置は、上記態様３及び４において、上記認証結果が上記光ディスク識別情報が認証されなかったことを示す場合に、上記対象の光ディスクに格納されているコンテンツと同一のコンテンツが格納されている他の光ディスクを入手する入手法を通知する通知部（表示制御部１１８）を更に備えていてもよい。
【０１３１】
上記の構成によれば、上記再生装置は、光ディスク識別情報が認証されなかったことを示す認証結果を取得した場合に、他の光ディスクを入手する入手法を通知する。
【０１３２】
これによれば、上記再生装置は、通知した入手法により入手された他の光ディスクの光ディスク識別情報を用いて認証用サーバに対して認証を要求し、認証されたことを示す認証結果を取得することにより、提供を制限されている条件付きサービスを提供することができる。
【０１３３】
本発明の態様６に係る機器管理サーバ（機器管理サーバ８０）は、認証を条件として提供される条件付きサービスを提供する再生装置（光ディスクプレーヤ１０）を他の機器から識別する情報である機器識別情報（機器ＩＤ）、及び、上記再生装置が正規の再生装置であることを示す証明情報を取得する機器情報取得部（機器ＩＤ取得部８１１）と、上記機器情報取得部が証明情報を取得した場合に、上記再生装置が正規の再生装置であると判定する判定部（判定部８１２）と、上記判定部により上記再生装置が正規の再生装置であると判定された場合に、上記機器識別情報を更新するための新たな機器識別情報を発行する発行部（機器ＩＤ発行部８１４）と、を備えている。
【０１３４】
上記の構成によれば、上記機器管理サーバは、再生装置から機器識別情報と共に証明情報を取得した場合に再生装置を正規の再生装置であると判定し、新たな機器識別情報を発行する。換言すれば、上記機器管理サーバは、機器識別情報と共に証明情報を取得しない場合には、再生装置を正規の再生装置であると判定せず、新たな機器識別情報の発行も行わない。
【０１３５】
これにより、上記機器管理サーバは、正規な再生装置に対してのみ、新たな機器識別情報を発行することができる。したがって、上記機器管理サーバは、正規な再生装置に対し、条件付きサービスを適切に提供させることができる。
【０１３６】
本発明の態様７に係る認証用サーバ（認証用サーバ５０）は、対象の光ディスク（光ディスク２０）を他の光ディスクから識別する情報である光ディスク識別情報（ディスクＩＤ）を取得する情報取得部（情報取得部５１１）と、上記情報取得部が取得した光ディスク識別情報を認証する認証部（認証部５１２）と、上記認証部の認証結果を出力する認証結果出力部（認証結果出力部５１４）と、を備えた認証用サーバであって、上記情報取得部は、認証を条件とする条件付きサービスを提供するための認証用情報（リデンプションコード）を取得し、上記認証部は、上記光ディスク識別情報および上記認証用情報が予め関連付けられているか否かを認証し、上記認証結果出力部は、上記光ディスク識別情報および上記認証用情報が予め関連付けられている場合に、上記条件付きサービスの提供の制限を一時的に解除する旨を通知する。
【０１３７】
上記の構成によれば、上記認証用サーバは、再生装置から光ディスク識別情報に加えて認証用情報を取得し、光ディスク識別情報と認証用情報とが予め関連付けられている場合に、条件付きサービスの提供の制限を一時的に解除する旨を通知する。つまり、上記認証用サーバは、光ディスク識別情報が認証されない場合であっても、光ディスク識別情報と認証用情報との組み合わせが正しい（予め関連付けられている）場合には、再生装置における条件付きサービスの提供の制限を一時的に解除させることができる。また、上記認証用サーバは、光ディスク識別情報と認証用情報とが関連付けられていない場合には、条件付きサービスの提供の制限を一時的に解除する旨の指示を行わない。
【０１３８】
これにより、上記認証用サーバは、正規な認証用情報と関連付けられている光ディスク識別情報の示す光ディスクにより条件付きサービスを提供する再生装置に対してのみ、条件付きサービスの提供の制限を一時的に解除させることができる。したがって、上記認証用サーバは、正規な認証用情報を取得した再生装置に対し、条件付きサービスを適切に提供させることができる。
【０１３９】
本発明の態様８に係るサービス提供方法は、再生装置のサービス提供方法であって、対象の光ディスクから、当該対象の光ディスクを他の光ディスクから識別する情報である光ディスク識別情報を取得する光ディスク識別情報取得ステップと、上記光ディスク識別情報、及び、自装置を他の機器から識別する情報である機器識別情報を認証用サーバに出力する情報出力ステップと、上記認証用サーバから認証結果を取得する認証結果取得ステップと、上記認証結果が上記機器識別情報が認証されなかったことを示す場合に、認証を条件とする条件付きサービスの提供を制限するサービス制限ステップと、上記認証結果が上記機器識別情報が認証されなかったことを示す場合に、上記機器識別情報を更新する機器識別情報更新ステップと、を含んでいる。
【０１４０】
上記の構成によれば、上記サービス提供方法は、上述の再生装置と同様の効果を奏することができる。
【０１４１】
本発明の態様９に係るサービス提供方法は、再生装置のサービス提供方法であって、対象の光ディスクから、当該対象の光ディスクを他の光ディスクから識別する情報である光ディスク識別情報を取得する光ディスク識別情報取得ステップと、上記光ディスク識別情報を認証用サーバに出力する情報出力ステップと、上記認証用サーバから認証結果を取得する認証結果取得ステップと、上記認証結果が上記光ディスク識別情報が認証されなかったことを示す場合に、認証を条件とする条件付きサービスの提供を制限するサービス制限ステップと、上記条件付きサービスを提供するための認証用情報の認証を条件として、上記サービス制限ステップにおける上記条件付きサービスの提供の制限を一時的に解除する制限解除ステップと、を含んでいる。
【０１４２】
上記の構成によれば、上記サービス提供方法は、上述の再生装置と同様の効果を奏することができる。
【０１４３】
本発明の態様１０に係る機器管理方法は、機器管理サーバの機器管理方法であって、認証を条件として提供される条件付きサービスを提供する再生装置を他の機器から識別する情報である機器識別情報、及び、上記再生装置が正規の再生装置であることを示す証明情報を取得する機器情報取得ステップと、上記機器情報取得ステップにおいて証明情報を取得した場合に、上記再生装置が正規の再生装置であると判定する判定ステップと、上記判定ステップにおいて上記再生装置が正規の再生装置であると判定された場合に、上記機器識別情報を更新するための新たな機器識別情報を発行する発行ステップと、を含んでいる。
【０１４４】
上記の構成によれば、上記機器管理方法は、上述の機器管理サーバと同様の効果を奏することができる。
【０１４５】
本発明の態様１１に係る認証方法は、対象の光ディスクを他の光ディスクから識別する情報である光ディスク識別情報を取得する情報取得ステップと、上記情報取得ステップにおいて取得した光ディスク識別情報を認証する認証ステップと、上記認証ステップにおける認証結果を出力する認証結果出力ステップと、を含む、認証用サーバの認証方法であって、上記情報取得ステップにおいて、認証を条件とする条件付きサービスを提供するための認証用情報を取得し、上記認証ステップにおいて、上記光ディスク識別情報および上記認証用情報が予め関連付けられているか否かを認証し、上記認証結果出力ステップにおいて、上記光ディスク識別情報および上記認証用情報が予め関連付けられている場合に、上記条件付きサービスの提供の制限を一時的に解除する旨を通知する。
【０１４６】
上記の構成によれば、上記認証方法は、上述の認証用サーバと同様の効果を奏することができる。
【０１４７】
本発明の態様１２に係る再生システム（サービス提供システム１）は、再生装置と機器管理サーバとを含む再生システムであって、上記再生装置は、対象の光ディスクから、当該対象の光ディスクを他の光ディスクから識別する情報である光ディスク識別情報を取得する光ディスク識別情報取得部と、上記光ディスク識別情報、及び、自装置を他の機器から識別する情報である機器識別情報を認証用サーバに出力する情報出力部と、上記認証用サーバから認証結果を取得する認証結果取得部と、上記認証結果が上記機器識別情報が認証されなかったことを示す場合に、認証を条件とする条件付きサービスの提供を制限するサービス制限部と、上記認証結果が上記機器識別情報が認証されなかったことを示す場合に、上記機器識別情報を更新する機器識別情報更新部と、を備えており、上記機器管理サーバは、認証を条件として提供される条件付きサービスを提供する再生装置を他の機器から識別する情報である機器識別情報、及び、上記再生装置が正規の再生装置であることを示す証明情報を取得する機器情報取得部と、上記機器情報取得部が証明情報を取得した場合に、上記再生装置が正規の再生装置であると判定する判定部と、上記判定部により上記再生装置が正規の再生装置であると判定された場合に、上記機器識別情報を更新するための新たな機器識別情報を発行する発行部と、を備えている。
【０１４８】
上記の構成によれば、上記再生システムは、上述の再生装置および機器管理サーバと同様の効果を奏することができる。
【０１４９】
本発明の態様１３に係る再生システム（サービス提供システム１）は、再生装置と認証用サーバとを含む再生システムであって、上記再生装置は、対象の光ディスクから、当該対象の光ディスクを他の光ディスクから識別する情報である光ディスク識別情報を取得する光ディスク識別情報取得部と、上記光ディスク識別情報を認証用サーバに出力する情報出力部と、上記認証用サーバから認証結果を取得する認証結果取得部と、上記認証結果が上記光ディスク識別情報が認証されなかったことを示す場合に、認証を条件とする条件付きサービスの提供を制限するサービス制限部と、上記条件付きサービスを提供するための認証用情報の認証を条件として、上記サービス制限部による上記条件付きサービスの提供の制限を一時的に解除する制限解除部と、を備えており、上記認証用サーバは、対象の光ディスクを他の光ディスクから識別する情報である光ディスク識別情報を取得する情報取得部と、上記情報取得部が取得した光ディスク識別情報を認証する認証部と、上記認証部の認証結果を出力する認証結果出力部と、を備え、上記情報取得部は、認証を条件とする条件付きサービスを提供するための認証用情報を取得し、上記認証部は、上記光ディスク識別情報および上記認証用情報が予め関連付けられているか否かを認証し、上記認証結果出力部は、上記光ディスク識別情報および上記認証用情報が予め関連付けられている場合に、上記条件付きサービスの提供の制限を一時的に解除する旨を通知する。
【０１５０】
上記の構成によれば、上記再生システムは、上述の再生装置および認証用サーバと同様の効果を奏することができる。
【０１５１】
本発明の各態様に係る再生装置、機器管理サーバ、及び認証用サーバは、コンピュータによって実現してもよく、この場合には、コンピュータを上記再生装置、機器管理サーバ、及び認証用サーバが備える各部として動作させることにより上記光ディスクプレーヤ又はサーバをコンピュータにて実現させるプログラム、およびそれを記録したコンピュータ読み取り可能な記録媒体も、本発明の範疇に入る。
【０１５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１５３】
本発明は、光ディスク（ＢＤ、ＤＶＤなど）プレーヤ／レコーダ、光ディスクプレーヤを内蔵するテレビジョン受像機、光ディスクプレーヤを再生可能なパーソナルコンピュータなどに好適に利用することができる。
【符号の説明】
【０１５４】
１    サービス提供システム（再生システム）
１０    光ディスクプレーヤ（再生装置）
１１    ＣＰＵ
１６    光ディスクドライブ
２０    光ディスク
３０    モニタ
４０    ルータ
５０    認証用サーバ
５１    ＣＰＵ
６０    携帯端末
８０    機器管理サーバ
１１１  ディスク情報取得部（光ディスク識別情報取得部）
１１２  ディスクＩＤ管理部
１１３  認証用情報管理部
１１４  認証リクエスト部（認証要求部）
１１５  認証結果取得部
１１６  操作信号取得部（ユーザ指示受付部）
１１７  サービス提供部（サービス制限部、制限解除部）
１１８  表示制御部（通知部）
１１９  機器ＩＤ管理部（機器識別情報更新部）
５１１  情報取得部
５１２  認証部
５１３  サービス管理部
５１４  認証結果出力部
８１１  機器ＩＤ取得部（機器情報取得部）
８１２  判定部
８１３  証明情報管理部
８１４  機器ＩＤ発行部（発行部）
【図１】
2016105249.tif 000003
【図２】
2016105249.tif 000004
【図３】
2016105249.tif 000005
【図４】
2016105249.tif 000006
【図５】
2016105249.tif 000007
【図６】
2016105249.tif 000008
【図７】
2016105249.tif 000009
【図８】
2016105249.tif 000010
【図９】
2016105249.tif 000011
【図１０】
2016105249.tif 000012
【図１１】
2016105249.tif 000013